(57)【要約】【課題】かご内環境を一定の環境下に維持できる災害時対応型エレベータのかご内換気装置得る。【解決手段】かご１と、かごに設けられ、かご内空気の内気循環とかご外の外気取込みとを切り換えることが可能に構成された換気装置６と、かご外に設けられ、かご外部の温度や汚染物質による汚染状況を測定するかご外気センサー１２と、かご内に設けられ、かご内の温度や汚染物質による汚染状況を測定するかご内気センサー１３と、正常時のかご内外の温度や汚染物質による汚染状況を基準データとして記憶し、基準データとかご外気センサー及びかご内気センサーの測定値とを比較して換気装置をＯＮ／ＯＦＦ制御するとともに、かご内空気の内気循環と外気取込みを切り換える制御を行う換気装置用制御装置１４とを備える。【選択図】図１
2008127186.tif 000002
【特許請求の範囲】
【請求項１】
かごと、
前記かごに設けられ、かご内空気の内気循環とかご外の外気取込みとを切り換えることが可能に構成された換気装置と、
前記かご外に設けられ、かご外部の温度や汚染物質による汚染状況を測定するかご外気センサーと、
前記かご内に設けられ、かご内の温度や汚染物質による汚染状況を測定するかご内気センサーと、
正常時のかご内外の温度や汚染物質による汚染状況を基準データとして記憶し、前記基準データと前記かご外気センサー及びかご内気センサーの測定値とを比較して前記換気装置をＯＮ／ＯＦＦ制御するとともに、かご内空気の内気循環と外気取込みを切り換える制御を行う換気装置用制御装置と、
を備えたことを特徴とする災害時対応型エレベータのかご内換気装置。
【請求項２】
かごと、
前記かごに設けられ、かご内空気の内気循環とかご外の外気取込みとを切り換えることが可能に構成された換気装置と、
前記かご外に設けられ、かご外部の温度や汚染物質による汚染状況を測定するかご外気センサーと、
前記かご内に設けられ、かご内の温度や汚染物質による汚染状況を測定するかご内気センサーと、
正常時のかご内外の温度や汚染物質による汚染状況を基準データとして記憶し、前記基準データと前記かご外気センサー及びかご内気センサーの測定値とを比較して前記換気装置をＯＮ／ＯＦＦ制御するとともに、かご内空気の内気循環と外気取込みを切り換える制御を行う換気装置用制御装置と、
エレベータ通常電源遮断時に前記換気装置を一定時間動作させる換気装置用バッテリーと、
を備えたことを特徴とする災害時対応型エレベータのかご内換気装置。
【請求項３】
かごと、
前記かごに設けられ、かご内空気の内気循環とかご外の外気取込みとを切り換えることが可能に構成された換気装置と、
前記かご外に設けられ、かご外部の温度や汚染物質による汚染状況を測定するかご外気センサーと、
前記かご内に設けられ、かご内の温度や汚染物質による汚染状況を測定するかご内気センサーと、
正常時のかご内外の温度や汚染物質による汚染状況を基準データとして記憶し、前記基準データと前記かご外気センサー及びかご内気センサーの測定値とを比較して前記換気装置をＯＮ／ＯＦＦ制御するとともに、かご内空気の内気循環と外気取込みを切り換える制御を行う換気装置用制御装置と、
エレベータ通常電源遮断時に前記換気装置を一定時間動作させる換気装置用バッテリーと、
前記かご内に設けられ、前記換気装置を動作させる手動ダイナモと、
を備えたことを特徴とする災害時対応型エレベータのかご内換気装置。
【請求項４】
かごはワパーウインドウ付き窓を有し、前記パワーウインドウ付き窓は正常時のかご内外の温度や汚染物質による汚染状況を基準データとかご外気センサー及びかご内気センサーの測定値とを比較し、その比較結果により開閉制御することを特徴とする請求項１〜請求項３のいずれかに記載の災害時対応型エレベータのかご内換気装置。
【請求項５】
換気装置の運転をＯＮ／ＯＦＦ制御するスイッチをかご内に設けたことを特徴とする請求項１〜請求項３のいずれかに記載の災害時対応型エレベータのかご内換気装置。
【請求項６】
換気装置のかご内空気吹出口を、かご室の巾木、かご室の壁目地、かご室の手摺、かご操作盤の少なくとも一つに設けたことを特徴とする請求項１〜請求項３のいずれかに記載の災害時対応型エレベータのかご内換気装置。
【発明の詳細な説明】
【技術分野】
【０００１】
この発明は、災害時対応型エレベータのかご内換気装置に関するものである。
【背景技術】
【０００２】
従来のエレベータのかご内換気装置においては、かご内やかごの外部（昇降路）の温度状態や空気の汚染状態にかかわらず、換気装置を連続運転するのが一般的である。
【０００３】
また、従来技術として、エレベータのかご室天井部に互いに離間して設けられた空気の吸込み口及び吹出し口と、これら吸込み口及び吹出し口を連通するダクトと、このダクトに介装され吸込み口から吸込んだかご室内の空気を吹出し口からかご室内に循環する送風機と、この送風機及び吹出し口の間のダクトに介装された空調ユニットとを備えるように構成したエレベータかご室の空調装置が知られている(例えば、特許文献１参照)。
【０００４】
【特許文献１】特開２００６−１５１５４２号公報
【発明の開示】
【発明が解決しようとする課題】
【０００５】
従来のエレベータのかご内換気装置では、連続運転であるため、非常時等に電力を節約したい場合に節約できなかったり、かごの外部（昇降路）の汚染された空気を吸入してかご内の乗客に悪影響を与えるという危惧が予想される。
【０００６】
また、従来技術のエレベータかご室の空調装置では、災害時対応型エレベータとして、災害時の乗客の安全を確保し、換気装置の効率を高めるように考慮されたものではなかった。
【０００７】
この発明は、上述のような課題を解決するためになされたもので、かごの内外に設置した温度・湿度や汚染物質（例えば、地震時の建物破壊による粉塵、火災時の二酸化炭素、煙等の火炎物質等）センサーにてかご内外の環境汚染状況を測定し、温度・湿度や環境汚染状況に応じて換気装置をオン／オフ制御、もしくは内気循環／外気循環に切り換えて、かご内環境を一定の環境下に維持させることができるようにした災害時対応型エレベータのかご内換気装置を提供するものである。
【課題を解決するための手段】
【０００８】
この発明に係る災害時対応型エレベータのかご内換気装置においては、かごと、かごに設けられ、かご内空気の内気循環とかご外の外気取込みとを切り換えることが可能に構成された換気装置と、かご外に設けられ、かご外部の温度や汚染物質による汚染状況を測定するかご外気センサーと、かご内に設けられ、かご内の温度や汚染物質による汚染状況を測定するかご内気センサーと、正常時のかご内外の温度や汚染物質による汚染状況を基準データとして記憶し、基準データとかご外気センサー及びかご内気センサーの測定値とを比較して換気装置をＯＮ／ＯＦＦ制御するとともに、かご内空気の内気循環と外気取込みを切り換える制御を行う換気装置用制御装置とを備えたものである。
【発明の効果】
【０００９】
この発明によれば、正常時のかご内外の温度や汚染物質による汚染状況を基準データとし、この基準データとかご外気センサー及びかご内気センサーの測定値とを比較して換気装置をＯＮ／ＯＦＦ制御するとともに、かご内空気の内気循環と外気取込みを切り換える制御を行うようにしたので、かご内環境を一定の環境下に維持することができるという効果がある。
【発明を実施するための最良の形態】
【００１０】
実施の形態１．
図１はこの発明の実施の形態１における災害時対応型エレベータのかご内換気装置の概略構成を示すかご室の縦断面図、図２はこの発明の実施の形態１における災害時対応型エレベータのかご内換気装置のかごドア部をかご内から見た正面図、図３は同じくその縦断面図、図４はこの発明の実施の形態１における災害時対応型エレベータのかご内換気装置の制御構成の一部を示すブロック図、図５はこの発明の実施の形態１における災害時対応型エレベータのかご内換気装置を示すシステム構成図、図６は手動モードの場合を示すシステム構成図、図７はこの発明の実施の形態１における災害時対応型エレベータのかご内換気装置の電源構成を示すブロック図、図８はこの発明の実施の形態１における災害時対応型エレベータのかご内換気装置の動作を説明するためのフローチャートである。
【００１１】
図１〜図３において、１はエレベータのかご、２はかご１の出入口に設けられたかごドア、３はかごドア２の中央部に設けられたパワーウインドウ付きのガラス窓で、上下方向に移動可能かつ開閉可能に設けられている。４はかご１の天井部に設けられたかご内空気吸込口、５はかご１の天井部に設けられたかご内空気吹出口、６はかご１の天井部内に設けられた換気装置、７はかご１の天井部内に設けられた換気装置６の吸込ダクト、８はかご１の天井部内に設けられた換気装置６の吹出ダクト、９はかご１の天井部内に設けられた換気装置６の送風機、１０は換気装置６に設けられた外気吸入口で、かご１の外部（昇降路）の空気をかご内に取り込むためのものである。１１は換気装置６に設けられた切換弁で、かご内空気の内気循環と、外気取り込みとに切り換えるものである。１２はかご１の外部の外気吸込口１０の近傍に設けられたかご外気センサーで、かごの外部（昇降路）の温度・湿度や汚染物質（例えば、地震時の建物破壊による粉塵、火災時の二酸化炭素、煙等の火炎物質等）による環境汚染状況を測定するものである。１３はかご１内のかご内空気吸込口４の近傍に設けられたかご内気センサーで、かご内の温度・湿度や汚染物質による環境汚染状況を測定するものである。１４は換気装置６に設けられた換気装置用制御装置、１５は換気装置６に設けられた換気装置用バッテリー、１６はかご１の天井部に設けられたかご内空気の排気弁で、必要時に開かれる。１７はかご１の側壁に設けられた換気装置用操作盤、１８は換気装置用制御装置１４のＯＮ／ＯＦＦスイッチで、換気装置用操作盤１７に設けられている。１９はかご内空気の内気循環と、外気取り込みとを切り換える内気循環／外気取込切換スイッチで、換気装置用操作盤１７に設けられている。２０はかごドア２のパワーウインドウ付きガラス窓３を上下方向に移動可能かつ開閉可能に制御するパワーウインドウ開閉スイッチで、換気装置用操作盤１７に設けられている。２１は手動ダイナモ切換スイッチで、換気装置用操作盤１７に設けられている。２２は換気装置用操作盤１７に設けられた換気装置用手動ダイナモ、２３はかごドア２のガラス窓３を上下方向に移動可能かつ開閉可能にするパワーウインドウ（窓駆動装置）、２４はかごドア装置である。
【００１２】
次に、災害時対応型エレベータのかご内換気装置のシステム構成について、図３〜図５により説明する。
換気装置用制御装置１４は、ＣＰＵ２５、メモリ２６を備えている。かご外に設置されたかご外気センサー１２と、かご内に設置されたかご内気センサー１３により、かご１の内外の温度・湿度や汚染物質（例えば、地震時の建物破壊による粉塵、火災時の二酸化炭素、煙等の火炎物質等）による環境汚染状況を測定して換気装置用制御装置１４に送るものである。メモリ２６は、正常な空気における粉塵、二酸化炭素、煙等の汚染物質の量や、温度・湿度等を基準データとして記憶している。ＣＰＵ２５では、メモリ２６内の基準データとかご外気センサー１２及びかご内気センサー１３の測定値を比較し、その比較結果に応じて、外気取り込みモード２７を自動的に選択したり、内気循環モード２８を自動的に選択する。また、換気装置６の運転を停止するＯＦＦモード２９もある。外気取り込みモード２７又は内気循環モード２８を自動的に選択した場合は、換気装置６に設けられた切換弁１１を換気装置内切換弁駆動モジュール６ａにより操作して、外気取り込み運転又はかご内空気の内気循環運転に切り換える。なお、外気取り込みモード２７を選択した場合は、外気取り込み運転に加えて、かごドア２のガラス窓３をパワーウインドウ用モジュール３ａにより開放し、ガラス窓３からも外気を取り込むことができる。
また、換気装置用操作盤１７のＯＮ／ＯＦＦスイッチ１８、内気循環／外気取込切換スイッチ１９、パワーウインドウ開閉スイッチ２０を操作することにより、図６に示すように、手動モードによる外気取り込みモード２７の選択、内気循環モード２８の選択、パワーウインドウモード３０の選択、ＯＦＦモード２９の選択を行うことができる。
【００１３】
次に、災害時対応型エレベータのかご内換気装置の電源構成について、図７により説明する。
かご内換気装置の電源は、図７に示すように、エレベータ用通常電源３１、換気装置用バッテリー１５、換気装置用手動ダイナモ２２から構成されている。通常時及び災害時であっても通常電源３１が生きている場合は、通常電源３１によりかご内換気装置を動作させる。また、通常電源３１が停電した場合は、換気装置用バッテリー１５によりかご内換気装置を一定時間動作させる。これにより、かご内への電力供給が遮断された場合でも、かご内換気装置が動作しない状態をある一定時間防止することができる。更に、換気装置用バッテリー１５が切れた場合は、換気装置用手動ダイナモ２２によりかご内換気装置を動作させる。これにより、換気装置用バッテリー切れにより、かご内換気装置が動作しない状態になることを防止することができる。
【００１４】
次に、災害時対応型エレベータのかご内換気装置の動作について、図８により説明する。
地震、火災等の災害が発生し、かご１内に乗客が閉じ込められると（ステップＳ１）、かご外に設置されたかご外気センサー１２と、かご内に設置されたかご内気センサー１３により、かご１の内外の温度・湿度や汚染物質（例えば、地震時の建物破壊による粉塵、火災時の二酸化炭素、煙等の火炎物質等）による環境汚染状況を測定する（ステップＳ２）。換気装置用制御装置１４のＣＰＵ２５では、メモリ２６内の基準データとかご外気センサー１２及びかご内気センサー１３の測定値を比較し（ステップＳ３）、その比較結果によりかご外の汚染物質の数値が高ければ（ステップＳ４）、換気装置６を内気循環モード２８にて運転する（ステップＳ５）。また、パワーウインドウモード３０を閉モードとするか、ＯＦＦとする（ステップＳ６）。一方、ステップＳ４でかご外の汚染物質の数値が高くなければ、ステップＳ７に進みかご内の汚染物質の数値が高いか否かを比較する。ステップＳ７の比較結果によりかご内の汚染物質の数値が高ければ、換気装置６を外気取り込みモード２７にて運転する（ステップＳ８）。また、パワーウインドウモード３０を開モードとし、ガラス窓３からも外気を取り込む（ステップＳ９）。また、ステップＳ７の比較結果によりかご内の汚染物質の数値が高くなければ、エレベータが復帰モードとなった時（ステップＳ１０）、終了する。
【００１５】
実施の形態２．
図９はこの発明の実施の形態２における災害時対応型エレベータのかご内換気装置の概略構成を示すかご室の縦断面図、図１０は同じくその要部を示す縦断面図である。
【００１６】
上記実施の形態１では、エレベータのかご１の天井部にかご内空気吸込口４とかご内空気吹出口５を設けたが、この実施の形態２においては、図９、図１０に示すように、換気装置６の吹出ダクト８を複数に分岐し、各吹出ダクト８の先端部に設けられる複数のかご内空気吹出口５を、それぞれかご室の巾木３２、かご室の壁目地３３、かご室の手摺３４、かご操作盤３５に配置したものである。上記以外の構成は、図示を省略しているが、実施の形態１とほぼ同様である。
【図面の簡単な説明】
【００１７】
【図１】この発明の実施の形態１における災害時対応型エレベータのかご内換気装置の概略構成を示すかご室の縦断面図である。
【図２】この発明の実施の形態１における災害時対応型エレベータのかご内換気装置のかごドア部をかご内から見た正面図である。
【図３】この発明の実施の形態１における災害時対応型エレベータのかご内換気装置のかごドア部を示す縦断面図である。
【図４】この発明の実施の形態１における災害時対応型エレベータのかご内換気装置の制御構成の一部を示すブロック図である。
【図５】この発明の実施の形態１における災害時対応型エレベータのかご内換気装置を示すシステム構成図である。
【図６】この発明の実施の形態１における災害時対応型エレベータのかご内換気装置の手動モードの場合を示すシステム構成図である。
【図７】この発明の実施の形態１における災害時対応型エレベータのかご内換気装置の電源構成を示すブロック図である。
【図８】この発明の実施の形態１における災害時対応型エレベータのかご内換気装置の動作を説明するためのフローチャートである。
【図９】この発明の実施の形態２における災害時対応型エレベータのかご内換気装置の概略構成を示すかご室の縦断面図である。
【図１０】この発明の実施の形態２における災害時対応型エレベータのかご内換気装置のかご室の要部を示す縦断面図である。
【符号の説明】
【００１８】
１  エレベータのかご
２  かごドア
３  ガラス窓
４  かご内空気吸込口
５  かご内空気吹出口
６  換気装置
７  吸込ダクト
８  吹出ダクト
９  送風機
１０  外気吸込口
１１  切換弁
１２  かご外気センサー
１３  かご内気センサー
１４  換気装置用制御装置
１５  換気装置用バッテリー
１６  排気弁
１７  換気装置用操作盤
１８  ＯＮ／ＯＦＦスイッチ
１９  内気循環／外気取込切換スイッチ
２０  パワーウインドウ開閉スイッチ
２１  手動ダイナモ切換スイッチ
２２  換気装置用手動ダイナモ
２３  パワーウインドウ（窓駆動装置）
２４  かごドア装置
２５  ＣＰＵ
２６  メモリ
２７  外気取込みモード
２８  内気循環モード
２９  ＯＦＦモード
３０  パワーウインドウモード
３１  エレベータ用通常電源
３２  巾木
３３  壁目地
３４  手摺
３５  かご操作盤
【図１】
2008127186.tif 000003
【図２】
2008127186.tif 000004
【図３】
2008127186.tif 000005
【図４】
2008127186.tif 000006
【図５】
2008127186.tif 000007
【図６】
2008127186.tif 000008
【図７】
2008127186.tif 000009
【図８】
2008127186.tif 000010
【図９】
2008127186.tif 000011
【図１０】
2008127186.tif 000012